(57)【特許請求の範囲】
【請求項１】
顧客による硬貨の投入口への投入に基づいて商品を放出口へ放出する自動取引装置において、
前記硬貨の真偽を判定する判定手段と、
前記判定手段が前記硬貨を真であると判定したとき、前記商品を前記放出口へ放出する放出手段と、
前記判定手段が前記硬貨を偽であると判定したとき、所定の直径より大なる直径の偽貨を保留して前記顧客への返却を不可能にし、前記所定の直径より小なる直径の偽貨を保留しないで前記顧客へ返却する保留手段と、
前記保留手段の保留動作を解除して前記所定の直径より大なる直径の偽貨の前記顧客への返却を可能にする保留解除手段と、
を有することを特徴とする自動取引装置。
【請求項２】
顧客による硬貨の投入口への投入に基づいて商品を放出口へ放出し、前記硬貨が真のものでないとき、前記硬貨を返却口から返却する自動取引装置において、
前記硬貨の真偽を判定する判定手段と、
前記判定手段が前記硬貨を真であると判定したとき、前記商品を前記放出口へ放出する放出手段と、
前記判定手段が前記硬貨を偽であると判定したとき、所定の直径より大なる直径の偽貨幣を保留して前記顧客への返却を不可能にし、前記所定の直径より小なる直径の偽貨を保留しないで前記顧客へ返却する保留手段と、
前記保留手段の保留動作を解除して前記所定の直径より大なる直径の偽貨を前記返却口から返却する保留解除手段と、
を有することを特徴とする自動取引装置。
【請求項３】
前記保留手段は、前記返却口に至る返却通路に対し出没可能に設けられた保留部材と、前記保留部材を前記返却通路へ突出する方向に付勢する付勢部材とを備え、
前記保留解除手段は、前記保留部材を前記付勢部材による付勢力に抗して前記返却通路から没する方向に移動させる操作部材を備え、
前記保留部材は、前記返却通路に突出したとき、前記所定の直径より大なる直径の偽貨の通貨を阻止し、前記所定の直径より小なる直径の偽貨を通過させる間隙を形成するように前記返却通路を塞ぐことを特徴とする請求項２記載の自動取引装置。
【請求項４】
前記所定の直径より大なる直径は、５００円硬貨に相当する直径であることを特徴とする請求項１、２あるいは３記載の自動取引装置。
【発明の詳細な説明】
【０００１】
【発明の属する技術分野】
本発明は、顧客による硬貨，紙幣，プリペイドカード（料金前払いの取引媒体），クレジットカード（料金後払いの取引媒体）等の取引媒体の投入口への投入に基づいて商品を放出口へ放出する自動販売機やパチンコ遊技システムにおける台間玉貸機等の自動取引装置に関する。
【０００２】
【従来の技術】
従来の自動取引装置として、例えば、パチンコ遊技システムにおける台間玉貸機は、投入された硬貨の正偽判定を行う判定部と、判定部により正常な硬貨（正貨）と判定された場合は、所定数の遊技球をパチンコ遊技台の受け皿に供給する供給部と、判定部により偽造硬貨や外国硬貨等の不良硬貨（偽貨）と判定された場合は、その不良硬貨を返却口に返却する返却部とを備えていた。
【０００３】
このような従来の構成において、遊技者が正常な硬貨を投入した場合は、判定部で正貨と判定され、供給部により所定数の遊技球がパチンコ遊技台の受け皿に供給される。一方、遊技者が不良硬貨を投入した場合は、判定部で偽貨と判定され、返却部によりその不良硬貨は返却口に返却され、遊技球は供給されない。このようにして従来の台間玉貸機は、不良硬貨を用いての不正行為の防止を図っている。
【０００４】
【発明が解決しようとする課題】
しかし、従来の台間玉貸機によると、不良硬貨が偽貨と判定された場合に、その不良硬貨は返却されてしまうので、別の台間玉貸機でその不良硬貨を使用することが可能であった。即ち、判定部にばらつきがあるので、不良硬貨が、別の台間玉貸機では正常な硬貨と誤判定される場合も生じる。このため、不良硬貨で何度もチャレンジして正常な硬貨と誤判定する台間玉貸機を捜し出し、この誤判定する台間玉貸機で多数の不良硬貨を用いて不正行為を働くという事態が発生していた。
【０００５】
従って本発明の目的は、不良の取引媒体を用いての不正行為を未然に防止し得る自動取引装置を提供することにある。
【０００６】
【課題を解決するための手段】
本発明は上記目的を達成するため、顧客による硬貨の投入口への投入に基づいて商品を放出口へ放出する自動取引装置において、前記硬貨の真偽を判定する判定手段と、前記判定手段が前記硬貨を真であると判定したとき、前記商品を前記放出口へ放出する放出手段と、前記判定手段が前記硬貨を偽であると判定したとき、所定の直径より大なる直径の偽貨を保留して前記顧客への返却を不可能にし、前記所定の直径より小なる直径の偽貨を保留しないで前記顧客へ返却する保留手段と、前記保留手段の保留動作を解除して前記所定の直径より大なる直径の偽貨の前記顧客への返却を可能にする保留解除手段と、を有することを特徴とする自動取引装置を提供する。
【０００７】
上記構成によれば、顧客が、真でない取引媒体（不良の取引媒体）を投入した場合は、その不良の取引媒体は、判定手段により偽であると判定され、保留手段により保留されて返却されず、商品も放出されない。従って、投入した不良の取引媒体を繰り返し使用することは不可能となる。保留されている不良の取引媒体は、例えば係員の操作に基づく保留解除手段の保留動作解除によって顧客への返却が可能となる。
【０００８】
【発明の実施の形態】
以下、本発明の実施の形態を図面を参照して詳細に説明する。
【０００９】
図１は本発明の実施の形態に係る自動取引装置としての台間玉貸機の適用例を示すパチンコ遊技システムの斜視図である。このパチンコ遊技システムは、複数基のパチンコ設備ユニット１を互いに並列させて島を形成している。これらのパチンコ設備ユニット１は、例えば、互いに２列に並列させて背中合わせで設置された４台のパチンコ遊技台２からなり、これらの互いに隣接するパチンコ遊技台２、２間には、本発明に係る台間玉貸機１０が装着されている。なお、同図において、２ａは解錠操作によって開けることができる遊技盤であり、３は解錠操作なしに開けることができる幕板である。
【００１０】
図２は台間玉貸機１０の離脱状態を示す斜視図である。この台間玉貸機１０は、パチンコ遊技台２、２間に設けられている固定ガイドフレーム枠１１と、この固定ガイドフレーム枠１１にロック機構２０を介して着脱可能な本体フレーム枠１２とを具備している。
【００１１】
本体フレーム枠１２は、前後面を各々折曲した形状を有している。本体フレーム枠１２の前面部１２ａには、紙幣を投入する紙幣投入口１３と、硬貨（例えば、５００円硬貨）Ｃを投入する硬貨投入口１４と、遊技球を供給する玉供給器１５と、偽造硬貨や外国硬貨等の不良の５００円硬貨Ｃや釣銭用の硬貨Ｃを返却する硬貨返却口１６とを設けている。また、本体フレーム枠１２の後面部１２ｂには、上下２箇所に角孔状の係合孔１７ａ、１７ａを形成し、下側の係合孔１７ａの近傍には、正常な硬貨Ｃを取り込んで図示しない金庫への収納処理に供する硬貨取込み口１７ｂを形成している。本体フレーム枠１２のウェブ部１２ｃには、所定数の遊技球を玉供給器１５へ送り出す玉供給部１８と、硬貨投入口１４から投入された硬貨Ｃの正偽判定を行う硬貨処理部１９とを設けている。
【００１２】
図３は本体フレーム枠１２のロック状態を示す断面図である。
【００１３】
玉供給部１８の上方には、図示しない遊技球供給回収装置からの遊技球を玉供給部１８に導く案内通路１８ａを設け、玉供給部１８の下方には、玉供給器１５へ通じる供給通路１８ｂを設けている。
【００１４】
玉供給部１８は、後述する硬貨処理部１９による正貨の判定結果に基づいて、図示しない遊技球供給回収装置からの遊技球を所定数供給通路１８ｂを介して玉供給器１５へ供給するようになっている。
【００１５】
硬貨処理部１９の上方には、硬貨投入口１４から投入された硬貨Ｃを受け入れるための投入通路１９ａを設け、硬貨処理部１９の下前方には、硬貨返却口１６へ通じる返却通路１９ｂを設け、硬貨処理部１９の下後方には、硬貨取込み口１７ｂへ通じる取込み通路１９ｃを設けている。
【００１６】
硬貨処理部１９は、材質センサ、厚さセンサ（またはギャップ）、直径センサ（またはギャップ）等の各種のセンサ（ギャップ）を備え、これらのセンサ（ギャップ）を用いて硬貨投入口１４から投入通路１９ａを経由して投入された硬貨Ｃが正常な硬貨（正貨）か不良の硬貨（偽貨）かの正偽判定を行うものであり、正貨と判定した硬貨Ｃを取込み通路１９ｃを経由して硬貨取込み口１７ｂに排出し、偽貨と判定した硬貨Ｃを返却通路１９ｂを経由して硬貨返却口１６に排出するようになっている。また、硬貨処理部１９は、釣銭が必要な場合には、釣銭用の硬貨（例えば１００円硬貨）Ｃを返却通路１９ｂを経由して硬貨返却口１６に排出するようになっている。
【００１７】
ロック機構２０は、上下動可能に支持された操作部材２１と、この操作部材２１を下方に付勢する付勢部材としての引張コイルバネ２２とを具備し、本体フレーム枠１２を固定ガイドフレーム枠１１に着脱可能に保持するものであり、後述する保留機構３０による不良硬貨Ｃの一時保留を解除する機能をも備えている。
【００１８】
固定ガイドフレーム枠１１は、本体フレーム枠１２の後面部１２ｂに対接する対接面部１１ａに、本体フレーム枠１２に形成した係合孔１７ａ、１７ａと対向する位置に角孔状の係合孔１１０、１１０を形成し、引張コイルバネ２２の一端２２ａを支持する支持片１１１を突設し、操作部材２１を上下に案内する支持片１１２、１１２を突設している。
【００１９】
操作部材２１は、固定ガイドフレーム枠１１の係合孔１１０、１１０及び本体フレーム枠１２の係合孔１７ａ、１７ａから突出するように楔型形状の係止部２３、２３を設け、上下にガイド孔２１ａ、２１ａを形成し、引張コイルバネ２２の他端２２ｂを支持する支持片２１ｂを備えている。
【００２０】
また、操作部材２１は、固定ガイドフレーム枠１１の支持片１１２に設けたガイド軸２４を介して上下動可能に支持されているとともに、引張コイルバネ２２によって下方に弾性的に付勢されている。この操作部材２１を引張コイルバネ２２及び後述する引張コイルバネ３４の付勢力に抗して上方に移動させると、本体フレーム枠１２と固定ガイドフレーム枠１１とのロックが解除され、本体フレーム枠１２の引出しが可能となるとともに、後述する保留機構３０による不良硬貨Ｃの一時保留を解除することができる。操作部２１の係止部２３は、傾斜した摺接面２３ａを備え、本体フレーム枠１２を固定ガイドフレーム枠１１にワンタッチで装着できるようにしている。なお、この係止部２３の詳細については後述する。
【００２１】
また、台間玉貸機１０は、硬貨処理部１９の下側に偽貨と判定された硬貨Ｃを一時保留する保留機構３０を設けている。
【００２２】
この保留機構３０は、返却通路１９ｂに形成した開口１９ｄから出没可能に設けられた保留部材３１と、この保留部材３１を回動可能に支持する軸受３２と、保留部材３１に設けた係止孔３１ａに一端が係止し、他端が本体フレーム枠１２側に設けた係止ピン３３に係止することで、保留部材３１を返却通路１９ｂに突出させる引張コイルバネ３４と、係止ピン３３に係止している引張コイルバネ３４の他端を外してその他端を係止することで、保留部材３１を返却通路１９ｂから引き込ませるための係止ピン３５とを備えている。返却通路１９ｂの保留部材３１より上側には、偽貨の貨幣Ｃを複数（本実施形態では２０枚）保留できる容積を持っている。保留部材３１が引張コイルバネ３４によって返却通路１９ｂに突出することで、遊技球を借りるのに必要な硬貨（本実施形態では５００円硬貨）Ｃの偽貨の通過を阻止し、１００円硬貨Ｃ等の他の種類の硬貨Ｃを通過するようにしている。例えば、５００円、１００円等の硬貨のうち、５００円硬貨が直径が最も大きいことから、保留部材３１によって形成される返却通路１９ｂの間隙を、５００円硬貨Ｃの直径よりも小さく、かつ、１００円等の他の硬貨Ｃの直径よりも大きくすることで実現することができる。なお、軸受３２、係止ピン３３及び引張コイルバネ３４は、取込み通路１９ｃにおける硬貨Ｃの通過を妨げないよう図３の紙面に対し前方又は後方に偏心した位置に配置している。
【００２３】
ここで、操作部材２２の係止部２３の詳細を図４乃至図７を参照して説明する。
【００２４】
各々の係止部２３は、図４に示すように、本体フレーム枠１２の差込み方向Ｘと反する方向に向かって先細りとなった形状を有し、下辺部に上記摺接面２３ａを形成し、かつ、その下辺部側には、係止頸部２３ｂを切欠き形成している。すなわち、ロック機構２０は、図５に示すように、本体フレーム枠１２の固定ガイドフレーム枠１１への前方からの差込み状態において、係合孔１７ａに係止部２３の先端部が挿入される際、係止部２３の摺接面２３ａが、係合孔１７ａの下辺縁１７ｂに摺接し、図６に示すように、本体フレーム枠１２の差込み方向Ｘの移動に応動して上方に移動し、操作部材２１を引張コイルバネ２２、３４の付勢力に抗して上方に移動させ、本体フレーム枠１２の固定ガイドフレーム枠１１への前方からの差込みを許容する。この状態で、本体フレーム枠１２の後面部１２ｂが固定ガイドフレーム枠１１の対接面部１１ａに当接すると、係止部２３の摺接面２３ａが係合孔１７ａの下辺縁１７ｂから解放され、図７に示すように、係止部２３が引張コイルバネ２２の付勢力により下方に移動し、係止頸部２３ｂが係合孔１７ａの下辺縁１７ｂに係止することによりロックされ、これによって、本体フレーム枠１２の固定ガイドフレーム１１にワンタッチにて装着されるようになっている。
【００２５】
次に、台間玉貸機１０の動作を説明する。
【００２６】
なお、引張コイルバネ３４の他端は、図３に示すように、係止ピン３３に係止し、保留部材３１が返却通路１９ｂに突出して５００円硬貨Ｃの通過を阻止できる状態になっているものとする。
【００２７】
まず、遊技者が遊技球を借りるべく、貨幣として例えば５００円硬貨Ｃを硬貨投入口１４に投入すると、この硬貨Ｃは、投入通路１９ａを経由して硬貨処理部１９に入る。硬貨処理部１９は、硬貨投入口１４から投入された硬貨Ｃの正偽判定を行う。硬貨処理部１９は、正貨と判定した場合は、その硬貨Ｃを取込み通路１９ｃを経由して硬貨取込み口１７ｂへ排出する。硬貨取込み口１７ｂへ排出された硬貨Ｃは、図示しない硬貨種別部により硬貨の種類毎に収受され、図示しない金庫への収納処理に供される。玉供給部１８は、正貨の判定結果に基づいて図示しない遊技球供給回収装置からの遊技球を所定数供給通路１８ｂを介して玉供給器１５へ供給する。遊技者は、供給された遊技球を用いてパチンコ遊技台２において遊技を行う。
【００２８】
一方、硬貨処理部１９が、投入された硬貨Ｃを偽貨と判定した場合は、その硬貨Ｃ  を却通路１９ｂに排出する。返却通路１９ｂに排出された偽貨の硬貨Ｃは、保留部材３１により一時保留される。玉供給部１８は、硬貨処理部１９による判定結果が偽貨であるので、遊技球を供給しない。
【００２９】
図８は保留機構３０の保留解除状態を示す断面図であり、偽貨の硬貨Ｃが一時保留された後は、例えば、遊技者の通報等により、係員が、パチンコ機台２の正面の遊技盤２ａを解錠操作により開け、図８に示すように、操作部材２１を引張コイルバネ２２、３４の付勢力に抗して上方に移動させる。すると、操作部材２１の下側の係止部２３が、保留部材３１を返却通路１９ｂから引き込む方向に回動させる。保留部材３１により一時保留されていた硬貨Ｃは、返却通路１９ｂを経由して硬貨返却口１６に返却される。硬貨Ｃが返却された後、係員は、操作部材２１から手を離せば、操作部材２１は引張コイルバネ２２の付勢力により、保留部材３４は引張コイルバネ３４の付勢力により再び図３に示す状態に戻る。
【００３０】
図９は保留機構３０による一時保留機能を停止させた状態を示す断面図である。保留機構３０による一時保留機能を停止させるには、同図に示すように、引張コイルバネ３４の他端を上側の係止ピン３３から外して下側の係止ピン３５に付け替えることにより、保留部材３１は、返却通路１９ｂから没する方向に付勢され、５００円硬貨Ｃ及び他の種類の硬貨Ｃが返却通路１９ｂを通過できるようになる。
【００３１】
このような上記台間玉貸機１０によれば、偽造硬貨等の不良硬貨Ｃを投入しても、偽貨と判定された場合には、本機１０内部に一時保留されて返却されず、遊技球も放出されないので、投入した不良硬貨Ｃを繰り返し使用することが不可能となることから、心理的に再発を防止でき、不良硬貨Ｃを用いての不正行為を未然に防止することが可能となる。
【００３２】
また、一時保留の解除操作は、パチンコ店の係員による解錠操作によって行えるので、不良硬貨Ｃを用いての不正行為をより確実に防止することができる。
【００３３】
また、一時保留機能の停止は、引張コイルバネ３４の取付け位置を変更するだけで行えるので、パチンコ店の係員でも簡単に行うことができる。例えば、時期的に不良硬貨Ｃの使用が減ってきた場合には、一時保留機能を停止させ、従来通りの動作を行わせることができる。
【００３４】
また、台間玉貸機１０の着脱と硬貨Ｃの一時保留の解除とを共通の操作部材２１を用いて行えるので、構成を簡素化することができる。
【００３５】
なお、本発明は、上記の実施形態に限定されず、種々な実施形態が可能である。例えば、上記実施形態では、台間玉貸機について説明したが、飲料入り缶等の自動販売機にも同様に適用することができる。また、上記実施形態では、偽貨と判定した場合に一時保留する貨幣として硬貨について説明したが、紙幣やプリペイドカード，クレジットカードにも同様に適用することができる。プリペイドカードを一時保留の対象とする場合は、残高が０のときも不良のカードに含めてもよい。
【００３６】
【発明の効果】
以上説明した通り、本発明によれば、不良の取引媒体を投入しても、真でないと判定された場合には、その不良の取引媒体は保留されて返却されず、商品も放出されないので、投入した不良の取引媒体を繰り返し使用することが不可能となることから、不良の取引媒体を用いての不正行為を未然に防止することが可能となる。
【図面の簡単な説明】
【図１】本発明に係る自動取引装置としての台間玉貸機の適用例を示すパチンコ遊技システムの斜視図である。
【図２】本発明に係る台間玉貸機の離脱状態を示す斜視図である。
【図３】本発明に係る本体フレーム枠のロック状態を示す断面図である。
【図４】本発明に係る操作部材の係止部の詳細を示す要部拡大図である。
【図５】本発明に係る本体フレーム枠の固定ガイドフレーム枠への装着途中を示す要部拡大図である。
【図６】本発明に係る本体フレーム枠の固定ガイドフレーム枠への装着途中を示す要部拡大図である。
【図７】本発明に係る本体フレーム枠のロック状態を示す要部拡大図である。
【図８】本発明に係る保留機構の保留解除状態を示す断面図である。
【図９】本発明に係る保留機構の一時保留機能を停止した状態を示す断面図である。
【符号の説明】
１  パチンコ遊技システム
２  パチンコ遊技台
１０  台間玉貸機
１４  硬貨投入口
１６  硬貨返却口
１９  硬貨処理部
１９ｂ  返却通路
１９ｃ  取込み通路
２０  ロック機構
２１  操作部材
２２、３４  引張コイルバネ
３０  保留機構
３１  保留部材
Ｃ  硬貨
【図１】
0003897376.tif 000002
【図２】
0003897376.tif 000003
【図３】
0003897376.tif 000004
【図４】
0003897376.tif 000005
【図５】
0003897376.tif 000006
【図６】
0003897376.tif 000007
【図７】
0003897376.tif 000008
【図８】
0003897376.tif 000009
【図９】
0003897376.tif 000010